(57)【要約】  本発明は、電子機器を無線で充電する方法を提供する。その方法は、サーバに、無線電力供給装置に関する情報に対する要求を送信するステップと、サーバから無線電力供給装置に関する情報を受信するステップと、受信した情報に従って少なくとも一つの無線電力供給装置により供給される電力で電子機器を充電するステップとを有する。
2013523071.tif 000002
【特許請求の範囲】
【請求項１】
電子機器を無線で充電する方法であって、
サーバに、無線電力供給装置に関する情報に対する要求を送信するステップと、
前記サーバから、前記無線電力供給装置に関する情報を受信するステップと、
前記受信した情報に従って、少なくとも一つの前記無線電力供給装置により供給される電力で前記電子機器を充電するステップと、
を有することを特徴とする方法。
【請求項２】
前記無線電力供給装置に関する情報に対する要求を送信するステップは、
前記電子機器の位置情報を判定するステップと、
前記判定した位置情報を包含する充電情報要求メッセージを前記サーバに伝送するステップと、
を有することを特徴とする請求項１に記載の方法。
【請求項３】
前記無線電力供給装置に関する情報は、少なくとも一つの前記無線電力供給装置を包含する充電器リストを含むことを特徴とする請求項１に記載の方法。
【請求項４】
前記電子機器を充電するステップは、
前記少なくとも一つの無線電力供給装置に無線充電のための電力に対する要求を送信するステップと、
前記少なくとも一つの無線電力供給装置から無線充電のために要求される電力を受信するステップと、
を有することを特徴とする請求項３に記載の方法。
【請求項５】
前記電子機器を充電するステップは、前記サーバに前記無線充電の結果を送信するステップをさらに有することを特徴とする請求項４に記載の方法。
【請求項６】
前記電子機器を充電するステップは、
前記充電器リストに包含される前記無線電力供給装置の状態情報を確認するステップと、
前記電子機器の状態情報に基づいて、前記少なくとも一つの無線電力供給装置を判定するステップと、
をさらに有することを特徴とする請求項４に記載の方法。
【請求項７】
前記電子機器を充電するステップは、前記充電器リストに包含される前記無線電力供給装置のうち少なくとも一つを選択するステップをさらに有することを特徴とする請求項４に記載の方法。
【請求項８】
前記状態情報は、対応する無線電力供給装置を前記電子機器に電力を供給するように許可するか否かを示す情報を含むことを特徴とする請求項４に記載の方法。
【請求項９】
前記状態情報は、前記少なくとも一つの無線電力供給装置各々の電源の種類及び状態を示す情報を含むことを特徴とする請求項４又は８に記載の方法。
【請求項１０】
前記状態情報は、前記少なくとも一つの無線電力供給装置各々の位置情報を含むことを特徴とする請求項９に記載の方法。
【請求項１１】
サーバで遂行される電子機器の無線充電を管理する方法であって、
端末から、無線電力供給装置に関する情報の要求を受信するステップと、
前記無線電力供給装置に関する情報を確認するステップと、
前記確認した無線電力供給装置に関する情報を前記端末に伝送するステップと、
を有することを特徴とする方法。
【請求項１２】
前記無線電力供給装置に関する情報を確認するステップは、
前記端末から所定の範囲内に存在し、前記端末に電力を供給できる無線電力供給装置を検索するステップを有することを特徴とする請求項１１に記載の方法。
【請求項１３】
前記無線電力供給装置に関する情報を確認するステップは、
前記検索した無線電力供給装置を含む充電器リストを生成するステップと、
前記充電器リストを含む前記無線電力供給装置に関する情報を生成するステップと、
前記生成した無線電力供給装置に関する情報を前記端末に伝送するステップと、
を有することを特徴とする請求項１２に記載の方法。
【請求項１４】
前記無線電力供給装置に関する情報を確認するステップは、
前記検索した無線電力供給装置の状態情報を判定するステップと、
前記検索した無線電力供給装置の状態情報に基づいて前記端末に送信された前記情報に含まれる少なくとも一つの無線電力供給装置を判定するステップと、
を有することを特徴とする請求項１２に記載の方法。
【請求項１５】
前記検索した無線電力供給装置の状態情報を確認するステップは、
前記検索した無線電力供給装置に状態情報に対する要求を送信するステップと、
前記検索した無線電力供給装置から前記状態情報を受信するステップと、
を有することを特徴とする請求項１４に記載の方法。
【発明の詳細な説明】
【技術分野】
【０００１】
本発明は、一般に充電装置及び方法に関するもので、特に通信ネットワークを用いて無線充電を遂行する方法に関する。
【背景技術】
【０００２】
携帯電話又はＰＤＡ(Personal  Digital  Assistants)のような移動端末は、その特性に従って再充電が可能なバッテリーで駆動され、このバッテリーの充電のためには、別途の充電器により電気エネルギーが供給される。別途の接触端子(contact  terminal)は、通常に充電器とバッテリーに装置され、それによって充電器とバッテリーは、バッテリーの充電のために相互に接続する。
【０００３】
しかしながら、このような接触端子は外部に突出されているので、接触端子は、異質により汚染が易しくなり、それによってバッテリー充電が正しく遂行できないという問題が発生する。その上、接触端子が湿気に露出する場合にも充電が正しく遂行できないという問題を有する。
【０００４】
これら問題を解決するために、最近では無線及び非接触の充電技術が開発されて多くの電子デバイスに活用されている。
【０００５】
この無線充電技術は、無線電力送受信システム、例えば携帯電話が別途の充電コネクタに接続せず、充電パッドに載せられるだけで、自動でバッテリーが充電されるシステムを使用する。このような無線充電技術は、例えば無線電動歯ブラシ及び無線電気カミソリに応用される。この無線充電技術は、電子製品を無線で充電することによって防水機能を増加させ、有線充電器が必要でないので、電子製品の携帯性を高めることができる。
【０００６】
この無線充電技術は、大きくコイルを用いる電磁誘導方式、共振(resonance）方式、及び電気エネルギーをマイクロ波に変換させて放射する電波放射(Radio Frequency(RF)/microwave  radiation)方式に分けられる。
【０００７】
現在までは電磁誘導方式が最も幅広く使用されているが、最近国内外でマイクロ波を用いて数十メートルの距離で電力を無線で伝送する実験に成功した。
【０００８】
電力を伝送する電磁誘導方式は、１次コイルと２次コイルとの間の電力を送信する。コイルを通じて磁石を移動させる場合に、誘導電流が発生する。送信端はこの誘導電流を用いて磁場を発生し、受信端は磁石の代わりにエネルギーを生成する。このような現象は、磁気誘導現象と呼ばれ、この現象を用いる電力伝送方法は、優れたエネルギー伝送効率を提供する。
【０００９】
電磁誘導方式は最も実用的に使用される方法であって、多様なデバイスに応用される。従来の無線充電又は非接触充電技術は電磁誘導方法が主に使用され、この技術は、ニッケルバッテリーを使用する電気カミソリ及び電動歯ブラシのような製品に適用される。
【００１０】
共振方式において、２００５年にＭＩＴ(Massachusetts Institute of Technology)のＳｏｌｊａｃｉｃ教授は、共振タイプの電力伝送原理として結合モード理論(coupled  mode  theory)を用いて充電器から数メートル離れているとしても、電気が無線で送信されるシステムを発表した。この共振方法は、音叉が共振する場合に音叉の近くのワイングラスも同一の周波数で共振するという概念に基づく。ＭＩＴチームは、音を共鳴させる代わりに電気エネルギーを含む電磁波の共振を使用する。共振周波数を有するデバイスが存在する場合にだけ、直接伝送されて使用されない部分は空気中に広がる代わりに電磁場に再吸収されるため、共振方法による電磁波は、他の電磁波とは異なり、周辺の機械や身体には影響を及ぼさない。
【００１１】
ＲＦ/電波放射方式は、電力エネルギーを無線伝送に有利なマイクロ波に変換させてエネルギーを伝送する新たな概念の電力送信方式である。この方法によって、ラジオ又は無線電話のように無線通信方式で使用される信号のかわりに、電気エネルギーが送信される。一般的な通信は搬送波で信号を搬送する方法に関連するが、無線電力伝送は、搬送波自体のみで送信する方法に関連する。
【００１２】
従来の無線充電技術は電気カミソリ及び電動歯ブラシのようなデバイスに限定されるが、最近では、共振方法が開発されて携帯電話及びＴＶに無線充電技術を導入するために多くの研究が進行されている。それによって、電力送受信が可能な装置間に必要な場合、相互に電力充電を助けることができる方法が研究されている。
【発明の概要】
【発明が解決しようとする課題】
【００１３】
本発明の目的は、少なくとも上述した問題点及び／又は不都合に取り組み、少なくとも以下の便宜を提供することにある。したがって、本発明の目的は、通信ネットワークを用いて端末と充電器との間の無線充電を遂行する方法及び装置を提供することにある。
【課題を解決するための手段】
【００１４】
上記のような目的を達成するために、本発明の一態様によれば、電子機器を無線で充電する方法が提供される。その方法は、サーバに、無線電力供給装置に関する情報に対する要求を送信するステップと、サーバから、無線電力供給装置に関する情報を受信するステップと、受信した情報に従って、少なくとも一つの無線電力供給装置により供給される電力で電子機器を充電するステップとを有する。
【００１５】
本発明の他の態様によれば、サーバで遂行される電子機器の無線充電を管理する方法が提供される。その方法は、端末から、無線電力供給装置に関する情報の要求を受信するステップと、無線電力供給装置に関する情報を確認するステップと、確認した無線電力供給装置に関する情報を前記端末に伝送するステップとを有する。
【発明の効果】
【００１６】
本発明は、場所又は時間の制約なしに無線充電向けの電子機器又は他人の携帯端末を用いて容易に充電を遂行することができる。
【００１７】
また、携帯端末間の無線充電が実現できることで、他人の携帯端末を用いて容易に充電を遂行することができる。
【００１８】
本発明の実施形態の上述した及び他の様相、特徴、及び利点は、以下の添付図面が併用された後述の詳細な説明から、より一層明らかになるだろう。
【図面の簡単な説明】
【００１９】
【図１】本発明の一実施形態による無線電力充電システムを示す概略的ブロック構成図である。
【図２】本発明の一実施形態による無線電力充電システムを示す詳細ブロック構成図である。
【図３】本発明の第１の実施形態による端末、サーバ、及び電子機器間の無線充電の遂行方法を示す信号フロー図である。
【図４】本発明の第１の実施形態による端末の無線充電遂行方法を示すフローチャートである。
【図５】本発明の第１の実施形態によるサーバの無線充電遂行方法を示すフローチャートである。
【図６】本発明の第１の実施形態による電子機器の無線充電遂行方法を示すフローチャートである。
【図７】本発明の第２の実施形態による端末、サーバ、及び電子機器間の無線充電遂行方法を示す信号フロー図である。
【図８】本発明の第２の実施形態による無線充電遂行方法における無線電力供給装置と無線充電を遂行するプロセスを示すフローチャートである。
【図９】本発明の第２の実施形態によるサーバの無線充電遂行方法における無線電力供給装置に関する情報を確認するプロセスを示すフローチャートである。
【図１０】本発明の第２の実施形態による端末、サーバ、及び電子機器間の無線充電の遂行方法を示す信号フローである。
【図１１】本発明の第３の実施形態による無線充電遂行方法における無線電力供給装置と無線充電を遂行するプロセスを示すフローチャートである。
【図１２】本発明の第３の実施形態によるサーバの無線充電遂行方法における無線電力供給装置に関する情報を確認するプロセスを示すフローチャートである。
【発明を実施するための形態】
【００２０】
以下、本発明の望ましい実施形態を添付の図面を参照して詳細に説明する。
【００２１】
次の説明において、公知の機能または構成に関する具体的な説明は、明瞭性と簡潔性のために省略する。また、具体的な回路のような多くの特定事項が示されるが、この特定事項は、本発明の一般的な理解を助けるために提供されるだけであって、上記のような定義なしでも本発明が実現できることは当該技術分野における通常の知識を有する者には明らかである。
【００２２】
図１は、本発明の一実施形態による無線電力充電システムを示す概略的なブロック構成図である。図１を参照すると、無線充電システムは、充電を要求する端末１１と、端末１１の無線充電を管理するサーバ１３と、無線電力供給(wireless  power-supplying)が可能な電子機器１５を含む。
【００２３】
端末１１は、サーバ１３と通信が可能で、電子機器１５により供給される電力で無線充電が可能な携帯端末である。端末１１は、例えば、移動通信端末又はＰＤＡのような装置であり得る。
【００２４】
サーバ１３は、通信ネットワークを介して接続される端末１１から無線電力供給装置に関する情報の提供に対する要求を受信し、無線電力供給装置に関する情報を確認して端末１１に通知する。サーバ１３は、無線電力供給装置に関する情報を確認するために、サーバ１３に予め格納された情報を確認し、あるいはリアルタイム通信を通じて端末１１に充電電力を提供できる電子機器１５のような装置を検索する。サーバ１３は、検索した電子機器１５を包含する充電器(charger)リストを生成し、充電器リストを含む無線電力供給装置に関する情報を生成する。
【００２５】
さらに、サーバ１３は、電子機器１５の状態情報を確認し、この状態情報を有する充電器リストを生成する。例えば、状態情報は、電子機器１５により供給される電力を受信するように許可するか否かを示す情報、電源の種類及び状態を示す情報、及び電子機器の位置情報を含むことができる。また、サーバ１３は、電子機器１５の状態情報に基づいて無線電力供給装置を選択し、例えば電子機器１５のように選択した無線電力供給装置を含む充電器リストを生成することができる。
【００２６】
サーバ１３は、検索した電子機器１５を包含する充電器リストを無線電力供給装置に関する情報に挿入し、あるいは電子機器１５を選択し、選択した電子機器１５を含む充電器リストを無線電力供給装置に関する情報に挿入することができる。また、サーバ１３は、状態情報を確認して充電器リストに挿入し、あるいは別途の状態情報なしに電子機器のみを包含する充電器リストを生成することができる。
【００２７】
したがって、検索した電子機器１５が無線電力供給装置に関する情報に含まれる場合、端末１１は、充電を遂行する電子機器を確認する。端末１１を充電する電子機器の確認は、複数の電子機器のうちいずれか一つをユーザーにより選択を遂行し、あるいは無線電力供給装置に関する情報に含まれる情報を用いてユーザーの入力なしに充電を遂行する電子機器の選択を遂行できる。さらに、無線電力供給装置に関する情報は、状態情報を含み、状態情報をユーザーに提供し、充電を遂行する電子機器が選択される場合に考慮することができる。または、無線電力供給装置に関する情報が状態情報を包含しない場合、端末１１は、電子機器１５との通信を通じて状態情報を確認することができる。
【００２８】
無線電力供給装置に関する情報が選択された電子機器を包含する充電器リストを含む場合、充電を遂行する電子機器は、サーバ１３により選択され、それによって端末１１は、充電を遂行する電子機器を確認せずに充電器リストに含まれる電子機器１５から充電電力を要求して無線充電を遂行することができる。
【００２９】
一方、電子機器１５は、無線で電力を伝送でき、サーバ１３及び端末１１に通信ネットワークを介して接続される。電子機器１５は、通常の充電器のような単一充電器、又は携帯端末(例えば、移動通信端末）に含まれることができる。また、電子機器１５は、商用電力を供給する電力サービス会社により設置及び運営される無線充電局を含むことができる。
【００３０】
電子機器１５は、端末１１又はサーバ１３から状態情報の要求を受信し、状態情報を確認して端末１１又はサーバ１３に提供する。状態情報は、電子機器１５により供給される電力の受信を許可するか否かを示す情報を含むことができる。
【００３１】
電力提供を許可するか否かを示す情報は、電子機器１５が端末１１に無線充電電力を供給するか否かの指示を含み、電子機器１５のユーザーにより予め設定及び格納され得る。あるいは、サーバ１３が状態情報を要求する場合、無線充電電力を供給するか否かを示す入力に対する要求は、電子機器１５のディスプレイを通じてユーザーに提供され、この電子機器１５は、その入力結果を受信し、電力供給を許可するか否かを示す情報を生成できる。または、電子機器１５は、予め電力供給許可のための条件を設定し、予め設定した条件に基づいて許可を判定し、その判定結果を端末１１への電力供給を許可するか否かを示す情報に挿入することができる。
【００３２】
電子機器１５が充電器又は携帯端末となり得るため、電子機器１５は、多様な電源を含むことができる。例えば、電子機器１５が通常の充電器または無線充電局である場合、電子機器１５の電源は商用電力であり、電子機器１５が携帯端末である場合には電子機器１５の電源はバッテリーであり得る。したがって、電源の種類は、商用電力とバッテリーを含む。電源の状態は、バッテリーの残量情報を含む。
【００３３】
図２は、本発明の一実施形態による無線電力充電システムを詳細に示すブロック構成図である。
【００３４】
端末１１は、バッテリー２１５の充電が開始するか否かを確認し、サーバ１３及び電子機器１５との通信を通じて無線充電を遂行する無線充電処理部２１１を含む。端末１１は、無線充電処理部２１１から、無線電力受信部２１３の制御要求を受信し、無線電力受信部２１３を制御する制御部２１２を含む。また、端末１１は、少なくとも一つの電子機器１５から無線で電力を受信し、バッテリー２１５に充電電力を供給する無線電力受信部２１３を含む。
【００３５】
サーバ１３は、端末１１及び電子機器１５との通信を処理し、端末１１により要求される無線電力供給装置に関する情報を確認して端末１１に提供する無線充電処理部２３１を含む。サーバ１３は、端末１１及び電子機器１５に関する情報を管理する端末/電子機器管理部２３２、端末１１及び電子機器１５に関する情報を格納するデータベース(ＤＢ)２３３、及び無線充電に対する課金を処理する課金処理部２３４を含む。
【００３６】
電子機器１５は、端末１１及びサーバ１３に接続して無線充電に関連する通信を遂行する無線充電処理部２５１、及び端末１１又はサーバ１３により要求される状態情報を確認する状態情報確認部２５２を含む。また、電子機器１５は、無線充電処理部２５１から電力変換部２５４の制御要求を受信し、電力変換部２５４を制御する制御部２５３を含む。さらに、電子機器１５は、電源部２５５と、この電源部２５５から受信される電力を変換して端末１１に伝送する電力変換部２５４とを含む。電源部２５５は、商用電源を直流(Direct-Current：ＤＣ)電源に変換するＳＭＰＳ(Switch Mode Power Supply)であり、あるいは携帯端末のためのバッテリーであり得る。
【００３７】
以下、無線電力充電システムに含まれる端末１１、サーバ１３、及び電子機器１５の動作を説明すると、端末１１、サーバ１３、及び電子機器１５の具体的な構成ついて詳細に説明する。
【００３８】
無線充電処理部２１１は、無線充電に対する要求を受信する。この要求は、ユーザーから受信され、ユーザーから無線充電のための充電設定(例えば、充電を開始するバッテリーの残量)の入力を予め受信及び格納することができる。この要求を受信すると、無線充電処理部２１１は、バッテリー２１５の残量を確認し、このバッテリー２１５の残量が相対的に充電設定に対応する電力レベル以下である場合、バッテリー２１５の充電が開始されると判断する。
【００３９】
バッテリー２１５の充電が開始されると判断されると、無線充電処理部２１１は、無線電力供給装置に関する情報に対する要求をサーバ１３に送信する。この場合、無線充電処理部２１１は、端末１１の位置情報を確認してこの要求と共に伝送できる。
【００４０】
この要求に対応して、サーバ１３に含まれる無線充電処理部２３１は、無線電力供給装置に関する情報を確認する。
【００４１】
端末/電子機器管理部２３２は、ＤＢ２３３を通じて、端末１１及び電子機器１５に関する情報を管理し、特に電子機器１５がＤＢ２３３に無線充電をサポートするか否かを示す情報を格納できる。それによって、無線充電処理部２３１は、無線電力供給装置に関する情報を確認するために無線充電をサポートする、電子機器１５のような少なくとも一つの電子機器を端末/電子機器管理部２３２に要求でき、この端末/電子機器管理部２３２は、少なくとも一つの電子機器のためにＤＢ２３３を検索し、その検索した少なくとも一つの電子機器のリストを無線充電処理部２３１に伝送できる。さらに、端末/電子機器管理部２３２は、端末１１及び少なくとも一つの電子機器の位置情報を管理できる。この場合、無線充電をサポートする電子機器１５のような少なくとも一つの電子機器に対して無線充電処理部２３１からの要求に対応して、端末/電子機器管理部２３２は、端末１１及び電子機器の位置情報を考慮して、端末１１が位置した領域に存在する電子機器に対してＤＢ２３３を検索し、無線充電処理部２３１に検索した結果として検索した電子機器のリストを伝送する。
【００４２】
無線充電処理部２３１は、検索した電子機器を含む充電器リストを生成し、この充電器リストを含む無線電力供給装置に関する情報を生成して端末１１に提供することができる。
【００４３】
端末１１は、無線充電処理部２１１を通じて無線電力供給装置に関する情報を受信する。無線充電処理部２１１は、無線電力供給装置に関する情報に包含された充電器リストを確認して、検索された電子機器１５を確認する。検索した電子機器の少なくとも一つは、無線充電処理部２１１を通じて検索される。例えば、無線充電処理部２１１は、検索された電子機器のリストをディスプレイを通じてユーザーに提供することによって、少なくとも一つの検索した電子機器を選択するか、あるいはユーザーによって予め設定された条件を満たす電子機器をユーザーによって自動で選択することができる。
【００４４】
さらに、電子機器をより容易に選択するために、無線充電処理部２１１は、検索した電子機器に状態情報を要求する。この要求に対応して、検索した電子機器(例えば、電子機器１５)の各々の無線充電処理部２５１は、状態情報確認部２５２を通じて状態情報を確認して端末１１に伝送する。
【００４５】
状態情報は、電子機器１５の電力供給に対する許可を示す情報、電子機器１５の電源の種類及び状態を示す情報、及び電子機器１５の位置情報のうち少なくとも一つを含むことができる。その結果、選択された電子機器１５は、他の電子機器に電力供給が許可された電子機器、安定に電力を供給する電源の種類及び状態を有する電子機器、及び/又は端末１１に近接した電子機器であり得る。
【００４６】
無線充電処理部２１１は、電子機器を選択するために状態情報を使用できる。すなわち、無線充電処理部２１１は、この状態情報をユーザーに提供し、あるいは所定の条件を満たす状態情報を有する電子機器を選択することができる。
【００４７】
無線充電処理部２１１は、選択された電子機器１５に無線充電のための電力を要求する。また、無線充電処理部２１１は、制御部２１２に無線充電制御に対する要求を送信する。この要求に応答して、制御部２１２は、無線電力受信部２１３の動作を開始するための制御信号をこの無線電力受信部２１３に伝送し、無線電力受信部２１３は無線電力受信を待機する。
【００４８】
電子機器１５の無線充電処理部２５１は、端末１１の無線充電処理部２１１から充電のための電力要求を受信し、制御部２５３に無線充電の開始を要求する。この要求に対応して、制御部２５３は、電源部２５５と電力変換部２５４の動作を指示する制御信号を生成してこれら電源部２５５と電力変換部２５４に伝送する。電力変換部２５４は、電源部２５５により供給される電力を無線で伝送する。
【００４９】
その結果、端末１１の無線電力受信部２１３は、選択された電子機器１５により供給される無線電力をバッテリー２１５に供給する。
【００５０】
上記した実施形態によると、サーバ１３が検索された電子機器１５を含む充電器リストを生成して提供し、端末１１が充電器リストに包含された電子機器１５のうち少なくとも一つを選択して充電を遂行するが、本発明はこれに限定されるものではない。これ以外にも、サーバ１３は、検索された電子機器のうち少なくとも一つを選択して充電器リストに挿入し、この充電器リストを端末１１に伝送することができる。
【００５１】
より具体的には、無線充電処理部２３１は、検索された電子機器のうち少なくとも一つを選択し、この選択された電子機器を含む充電器リストを生成する。少なくとも一つの電子機器の選択をより容易に遂行するために、無線充電処理部２３１は、検索された電子機器に状態情報に対する要求を送信し、要求された状態情報を受信し、この状態情報に基づいて少なくとも一つの電子機器を選択し、選択した少なくとも一つの電子機器を含む充電器リストを生成することができる。その結果、選択された少なくとも一つの電子機器は、他の電子機器に電力供給が許可される電子機器、安定的に電力を供給するための電源の種類及び状態を有する電子機器、及び端末１１に近接した電子機器であり得る。
【００５２】
図３は、本発明の第１の実施形態による端末１１、サーバ１３、及び電子機器１５間の無線充電を遂行する方法を示す信号フロー図である。
【００５３】
図３を参照すると、充電が要求される場合、端末１１は、ステップ３０１において、無線電力供給装置に関する情報をサーバ１３に要求する。ステップ３０２において、サーバ１３は、無線電力供給装置に関する情報を確認する。
【００５４】
具体的に説明すると、ステップ３０２において、サーバ１３は、端末１１が位置した領域に存在する電子機器を検索し、電子機器１５を含む検索した電子機器を包含する充電器リストを生成し、充電器リストを含む無線電力供給装置に関する情報を生成できる。
【００５５】
さらに、サーバ１３は、検索した電子機器(例えば、電子機器１５)のうち少なくとも一つを選択し、選択した少なくとも一つの電子機器を含む充電器リストを生成する。少なくとも一つの電子機器の選択をより容易に遂行するために、サーバ１３は、検索された電子機器に状態情報を要求して受信し、この状態情報に基づいて少なくとも一つの電子機器を選択し、選択した少なくとも一つの電子機器を包含する充電器リストを生成することができる。状態情報は、端末１１が電子機器により供給される電力の受信を許可するか否かを示す情報、電子機器の電源の種類及び状態を示す情報、及び電子機器の位置情報のうちいずれか一つの情報又は２個以上の情報の組み合わせを含むことができる。その結果、選択された少なくとも一つの電子機器は、他の電子機器に電力供給が許可される電子機器、安定に電力を供給するための電源の種類及び状態を有する電子機器、及び/又は端末１１に近接した電子機器であり得る。
【００５６】
さらに、サーバ１３は、最適の充電条件を有する少なくとも一つの電子機器を選択し、選択された少なくとも一つの電子機器を含む充電器リストを生成することができる。
【００５７】
端末１１が位置した領域にサーバ１３が存在する電子機器を検索する場合、サーバ１３は、ＤＢ２３３に格納されている電子機器に関する情報を検索して端末１１が位置した領域に存在する電子機器のリストを獲得できる。又は、サーバ１３は、端末１１が位置した領域に存在する少なくとも一つの電子機器に無線充電のための信号を伝送(例えば、ブロードキャスティング)し、この信号に応答する電子機器を検索することができる。
【００５８】
ステップ３０３において、サーバ１３は、無線電力供給装置に関する情報を端末１１に伝送する。
【００５９】
ステップ３０４において、端末１１は、無線電力供給装置に関する情報を確認して、無線電力供給装置に関する情報に包含される少なくとも一つの電子機器１５との充電を遂行する。
【００６０】
なお、上記したように、無線電力供給装置に関する情報が充電器リストを含むが、この充電器リストは、検索した電子機器を含むか、あるいは選択された少なくとも一つの電子機器を含むことができる。
【００６１】
充電器リストが検索された電子機器を含む場合、端末１１は、検索した電子機器のうち少なくとも一つを選択するプロセスをさらに含む。例えば、端末１１は、ディスプレイを通じてユーザーに検索した電子機器のリストを提供し、検索した電子機器のうち少なくとも一つを選択することがある。又は、端末１１は、検索された電子機器の中から、ユーザーによって予め設定された条件を満たす電子機器１５を自動で選択できる。
【００６２】
さらに、端末１１は、状態情報を用いて電子機器１５を選択できる。この状態情報は、サーバ１３から受信した無線電力供給装置に関する情報に含まれ、あるいは検索した電子機器との通信を通じて獲得できる。例えば、端末１１は、状態情報を獲得するために、充電器リストに包含される検索した電子機器に状態情報に対する要求を送信し、電子機器から状態情報を受信することができる。
【００６３】
充電器リストが選択された少なくとも一つの電子機器１５を包含する場合、サーバ１３は少なくとも一つの電子機器１５を選択したり、状態情報を確認したりするプロセスを遂行するため、端末１１が少なくとも一つの電子機器１５を選択し、あるいは状態情報を確認するプロセスを遂行するように端末１１に要求されない。したがって、このような場合、端末１１は、少なくとも一つの電子機器１５を選択するか、あるいは状態情報を確認するプロセスを遂行することなく、選択した少なくとも一つの電子機器１５との充電を直接遂行する。
【００６４】
ステップ３０４において充電を遂行するために、端末１１は、選択された少なくとも一つの電子機器１５に無線充電のための電力を要求し、選択された少なくとも一つの電子機器１５から電力を受信する。さらに、このプロセスで、端末１１と電子機器１５は、電磁誘導方法、共振方法、及びＲＦ/電波放射方法のうちいずれか一つを決定し、無線充電に使用される周波数も決定することができる。
【００６５】
図４は、本発明の第１の実施形態による端末の無線充電の遂行方法を示すフローチャートであり、図３の端末１１により遂行される詳細な手順を含む。
【００６６】
図４を参照すると、端末は、ステップ４０１において、バッテリーを充電するか否かを自動で判定するための電圧レベルを設定する。例えば、端末は、自動充電電圧レベルを設定するためのメニューを提供する。ユーザーが端末により提供されるメニューの中から自動充電電圧レベルを選択する場合、端末は、バッテリーを充電するか否かを自動で判定するのに使用される基準電圧をユーザーから受信するためのインターフェースを提供する。したがって、端末は、自動充電に使用される基準電圧を設定する。
【００６７】
ステップ４０２において、端末は、バッテリーの電圧が基準電圧より相対的に低いか否かを判定する。バッテリーの電圧が基準電圧より相対的に低い場合、端末は、バッテリーの充電が必要であると判断してステップ４０４に進行する。そうでないと、端末は、バッテリーの充電が必要でないと判断してステップ４０３に進行する。ステップ４０３において、端末は、所定時間の間待機した後にステップ４０２に戻る。
【００６８】
ステップ４０４において、端末は、サーバに、無線電力供給装置に関する情報に対する要求を送信する。例えば、端末は、電力供給を要求するメッセージをサーバに伝送する。ここで、端末は、ＧＰＳ(Global Positioning System)モジュールのような位置情報確認モジュールを活性化して端末の現在位置を示す位置情報を確認し、確認した位置情報を要求するメッセージに挿入し、この要求メッセージをサーバに伝送する。なお、端末は、充電に要求される電力量を確認し、確認した電力量を伝送される要求メッセージにさらに挿入する。
【００６９】
ステップ４０５において、端末は、サーバから無線電力供給装置に関する情報を受信する。
【００７０】
ステップ４０６において、端末は、無線電力供給装置に関する情報を確認し、少なくとも一つの電子機器の充電を遂行する。
【００７１】
上述したように、無線電力供給装置に関する情報は、検索プロセスを通じて検索された電子機器又は選択された電子機器を包含する充電器リストを含む。
【００７２】
充電器リストが検索された電子機器を含む場合、端末は、検索した電子機器のうち少なくとも一つを選択する。例えば、端末は、ディスプレイを通じてユーザーに検索した電子機器のうち少なくとも一つを選択するようにインターフェースをユーザーに提供し、ユーザーにより選択された少なくとも一つの電子機器を含むリストを受信する。あるいは、端末は、ディスプレイを通じて電子機器を選択する基準を入力するように許可するインターフェースをユーザーに提供し、それによってユーザーは、検索した電子機器のうち少なくとも一つを選択し、その基準を受信し、検索した電子機器の中から受信した基準を満たす電子機器を選択する。
【００７３】
電子機器の選択をより容易に遂行するために、端末は、検索した電子機器から状態情報を要求して受信することができ、ユーザーに検索した電子機器のリストとともにユーザーに状態情報を提供できる。この選択基準は、状態情報に基づいて設定され得る。
【００７４】
状態情報は、電子機器により供給される電力受信を許可するか否かを示す情報、電子機器の電源の種類及び状態を示す情報、及び電子機器の位置情報のうち少なくとも一つを含むことができる。
【００７５】
さらに、ステップ４０６において充電を遂行するために、端末は、少なくとも一つの選択された電子機器に無線充電のための電力を要求し、少なくとも一つの選択された電子機器から電力を受信する。このプロセスにおいて、端末及び少なくとも一つの選択された電子機器は、無線充電を遂行する方法(例えば、電磁誘導方法、共振方法、及びＲＦ/電波放射方法のうちいずれか一つの方法)を決定し、無線充電に使用される周波数を決定することができる。
【００７６】
一方、例えば、端末のバッテリーが全く充電される場合、無線充電のための充電セッションが終了することができる。それによって、端末は、ステップ４０７において、電子機器との充電セッションが終了したか否かを判定する。充電セッションが終了した場合、端末は、ステップ４０８に進行する。そうでないと、端末は、ステップ４０６に戻り、電子機器との充電セッションを継続する。
【００７７】
ステップ４０８において、端末は、充電結果を確認し、その充電結果をサーバに伝送する。より詳細には、端末は、バッテリーの充電に使用される充電電力量を確認してサーバに伝送する。
【００７８】
ステップ４０９において、端末は、サーバからバッテリーの充電に使用された電力量を示す情報を受信し、無線充電のための料金情報も受信し、これら受信した情報をユーザーに提供することができる。
【００７９】
図５は、本発明の第１の実施形態によるサーバの無線充電の遂行方法を示すフローチャートであって、図３のサーバ１３により遂行される詳細な手順を含む。
【００８０】
図５を参照すると、ステップ５０１において、サーバは、端末から無線電力供給装置に関する情報に対する要求を受信する。
【００８１】
ステップ５０２において、サーバは、無線電力供給装置に関する情報を確認する。
【００８２】
無線電力供給装置に関する情報を確認するために、サーバは、無線電力供給装置として電子機器を検索し、検索した電子機器を含む充電器リストを生成する。また、サーバは、充電器リストを含む無線電力供給装置に関する情報を生成できる。検索した電子機器は、サーバのＤＢを確認し、端末が位置した領域に存在する電子機器を検索して抽出できる。あるいは、サーバは、端末が位置した領域に存在する電子機器に無線充電のための信号を伝送(例えば、ブロードキャスティング)し、この信号に応答する電子機器を検索することができる。
【００８３】
サーバは、検索した電子機器のうち少なくとも一つの電子機器を選択し、選択された電子機器を含む無線電力供給装置に関する情報を生成できる。
【００８４】
少なくとも一つの電子機器は、少なくとも一つの電子機器の状態情報を確認して選択できる。状態情報は、サーバに予め格納され、あるいは上記電子機器に送信する状態情報の要求に対応して受信することができる。選択された少なくとも一つの電子機器は、他の電子機器に電力供給が許可された電子機器、安定に電力を供給する電源の種類及び状態を有する電子機器、及び/又は端末に近接した電子機器であり得る。
【００８５】
ステップ５０３において、サーバは、上記したように生成される無線電力供給装置に関する情報を端末に伝送する。
【００８６】
以後、端末と電子機器との間の無線充電が遂行される。無線充電が終了する場合、サーバは、ステップ５０４において、端末から充電結果を受信する。ステップ５０５において、サーバは、端末の充電に使用される電力量を確認し、端末に充電される電力による課金情報を伝送し、例えば、端末の充電に使用される電力に対して料金割引のような課金を電子機器に提供する。
【００８７】
上記した説明によると、充電結果が端末から受信されるが、本発明はこれに限定されるものではない。例えば、無線充電が遂行される環境によって、電子機器により提供される電力は、端末の充電に使用される電力と同一でないことがある。したがって、本発明の実施形態によると、サーバは、端末及び電子機器から充電結果をすべて受信でき、サーバは、端末及び電子機器から受信した充電結果をすべて考慮して、料金の課金と割引を処理することが望ましい。
【００８８】
図６は、本発明の第１の実施形態による電子機器の無線充電の遂行方法を示すフローチャートであって、図３の電子機器により遂行される詳細な手順を含む。
【００８９】
図６を参照すると、ステップ６０１において、電子機器は、サーバ又は端末から状態情報に対する要求を受信する。ステップ６０２において、電子機器は、この要求に応答して状態情報を確認する。状態情報は、電子機器からの電力供給が許可されたか否かを示す情報、電子機器の電源の種類及び状態を示す情報、及び電子機器の位置情報のうち少なくとも一つを含むことができる。ステップ６０３において、電子機器は、確認された状態情報をサーバ又は端末に伝送する。
【００９０】
ステップ６０４において、電子機器は、端末から無線充電のための電力要求を受信する。ステップ６０５において、電子機器は、無線充電のための電力を伝送する。また、ステップ６０４において、電子機器は、端末との交渉を通じて、無線充電を遂行する方法(例えば、電磁誘導方法、共振方法、及びＲＦ/電波放射方法のうちいずれか一つの方法)を決定し、無線充電に使用される周波数を決定する。
【００９１】
一方、端末との無線充電のための充電セッションは、端末のバッテリーが全く充電される場合のように終了可能である。それによって、電子機器は、ステップ６０６において、端末との充電セッションが終了したが否かを判定する。その結果、充電セッションが終了した場合、電子機器は、ステップ６０７に進行する。そうでないと、電子機器は、ステップ６０５に戻り、端末に充電電力を継続して提供する。
【００９２】
ステップ６０７において、電子機器は、充電結果を確認してサーバに伝送する。より具体的に説明すれば、電子機器は、端末を充電するために伝送される電力量を確認してサーバに伝送する。
【００９３】
ステップ６０８において、電子機器は、無線充電のために提供される電力量に対応する料金の割引を受信するために、サーバから端末の充電に使用される電力量に対応する割引情報を受信してそのユーザーに提供できる。
【００９４】
上述したように、サーバが電子機器を検索した後、サーバ又は端末は、検索した電子機器のうち少なくとも一つを選択的に選択できる。したがって、本発明の第２の実施形態による無線充電方法は、端末が少なくとも一つの電子機器を選択するメカニズムを示す。本発明の第３の実施形態による無線充電の遂行方法は、サーバが少なくても一つの電子機器を選択するメカニズムを示す。本発明の第２及び第３の実施形態は、本発明の第１の実施形態と同一の方式で遂行されるが、第２及び第３の実施形態よる少なくとも一つの電子機器を選択するサーバ又は端末のプロセスは、第１の実施形態によるプロセスと異なる。したがって、以下に説明される本発明の第２及び第３の実施形態の詳細な動作は、本発明の第１の実施形態と同一の方式で遂行され、上記した第１の実施形態の説明を参照して説明する。
【００９５】
図７は、本発明の第２の実施形態による端末１１、サーバ１３、及び電子機器１５間の無線充電の遂行方法を示す信号フロー図である。
【００９６】
図７を参照すると、充電が要求される場合、端末１１は、ステップ７０１において、無線電力供給装置１５に関する情報をサーバ１３に送信する。ステップ７０２において、上記要求に応答して、サーバ１３は、端末１１が位置した領域に存在する無線電力供給装置として電子機器１５を検索する。ステップ７０３において、サーバ１３は、検索された電子機器１５を含む充電器リストを生成し、この充電器リストを包含する無線電力供給装置１５に関する情報を生成する。
【００９７】
ステップ７０４において、サーバ１３は、無線電力供給装置１５に関する情報を端末１１に伝送する。
【００９８】
無線電力供給装置１５に関する情報を受信すると、端末１１は、ステップ７０５において、無線電力供給装置１５に関する情報に包含される検索した電子機器１５を確認して、この電子機器１５に状態情報を要求する。
【００９９】
検索した各々の電子機器１５は、ステップ７０６において、自身の状態情報を確認し、ステップ７０７において、確認した状態情報を端末１１に伝送する。
【０１００】
ステップ７０８において、端末１１は、状態情報に基づいて無線電力供給装置として電子機器１５を選択する。例えば、端末１１は、検索した電子機器１５と状態情報のリストをユーザーに提供し、ユーザーから少なくとも一つの電子機器１５の選択を受信する。または、端末１１は、状態情報を確認し、ユーザーによって予め設定された基準を満たす少なくとも一つの電子機器１５を選択する。
【０１０１】
ステップ７０９において、端末１１は、ステップ７０８において選択した電子機器１５に無線充電のための電力を要求する。ステップ７１０において、電子機器１５は、端末１１に無線充電のための電力を伝送する。
【０１０２】
図８は、本発明の第２の実施形態による端末の無線充電の遂行方法で電子機器と無線充電を遂行するプロセスを示すフローチャートであって、図７の端末１１により遂行される詳細な手順を含む。
【０１０３】
本発明の第２の実施形態による端末の無線充電遂行方法は、第１の実施形態による無線充電の遂行方法と類似した方式で遂行される。しかしながら、電子機器と無線充電を遂行するプロセスは、本発明の第１の実施形態による対応するプロセスと異なる。したがって、本発明の第２の実施形態による端末の無線充電遂行方法の全体手順は、図４及び第１の実施形態の説明を参照して、本発明の第２の実施形態による端末の無線充電遂行方法で電子機器と無線充電を遂行する方法について、次のように詳細に説明する。
【０１０４】
無線電力供給装置に関する情報を受信すると、端末は、ステップ８０１において、無線電力供給装置に関する情報に包含された充電器リストを確認する。ステップ８０２において、端末は、充電器リストに包含された無線電力供給装置として電子機器を確認し、この電子機器に状態情報を要求する。
【０１０５】
この要求に応答して、端末は、ステップ８０３において、電子機器から状態情報を受信する。
【０１０６】
ステップ８０４において、端末は、状態情報に基づいて無線電力供給装置として電子機器を選択する。例えば、端末は、検索プロセスを通じて検索した電子機器のリストと状態情報をユーザーに提供し、ユーザーから少なくとも一つの電子機器の選択を受信する。あるいは、端末は、状態情報を確認し、ユーザーにより予め設定された基準を満たす少なくとも一つの電子機器を選択する。
【０１０７】
ステップ８０５において、端末は、無線電力供給装置として選択された電子機器に無線充電のための電力を要求する。ステップ８０６において、端末は、この選択した電子機器から無線で受信した電力を用いて端末のバッテリーの充電を遂行する。
【０１０８】
図９は、本発明の第２の実施形態によるサーバの無線充電遂行方法で無線電力供給装置に関する情報を確認するプロセスを示すフローチャートであって、図７のサーバ１３により遂行される詳細な手順を含む。
【０１０９】
本発明の第２の実施形態によるサーバの無線充電の遂行方法は、第１の実施形態による無線充電の遂行方法と同様に遂行される。しかしながら、無線電力供給装置に関する情報を確認するプロセスは、本発明の第１の実施形態と異なる。したがって、本発明の第２の実施形態によるサーバの無線充電遂行方法のすべての手順は、図５及び第１の実施形態の説明を参照して、本発明の第２の実施形態によるサーバの無線充電遂行方法における無線電力供給装置に関する情報を確認するプロセスについて、以下に詳細に説明する。
【０１１０】
無線電力供給装置に関する情報を確認するために、サーバは、ステップ９０１において、無線電力供給装置として電子機器を検索する。例えば、サーバは、サーバのＤＢを確認して検索した電子機器を抽出し、端末が位置した領域に存在する電子機器を検索する。あるいは、サーバは、端末が位置した領域に存在する電子機器に無線充電のための信号を伝送(例えば、ブロードキャスティング)し、この信号に応答する電子機器を検索する。
【０１１１】
サーバは、ステップ９０２において、無線電力供給装置として検索した電子機器を含む充電器リストを生成し、ステップ９０３において、この充電器リストを包含する無線電力供給装置に関する情報を生成する。
【０１１２】
図１０は、本発明の第３の実施形態による端末１１、サーバ１３、及び電子機器１５間の無線充電遂行方法を示す信号フロー図である。
【０１１３】
図１０を参照すると、充電が要求される場合、端末１１は、ステップ１００１において、無線電力供給装置１５に関する情報をサーバ１３に要求する。この要求に対応して、ステップ１００２において、サーバ１３は、端末１１が位置した領域に存在する無線電力供給装置として電子機器１５を検索する。
【０１１４】
ステップ１００３において、サーバ１３は、検索した電子機器１５に状態情報を要求する。
【０１１５】
この要求に対応して、検索した電子機器１５の各々は、ステップ１００４において自身の状態情報を確認し、ステップ１００５においてこの状態情報をサーバ１３に伝送する。
【０１１６】
ステップ１００６において、サーバ１３は、状態情報に基づいて少なくとも一つの電子機器１５を選択し、選択された電子機器を包含する充電器リストを生成し、充電器リストを含む無線電力供給装置１５に関する情報を生成する。例えば、選択された少なくとも一つの電子機器１５は、他の電子機器に電力供給が許可された電子機器、安定に電力を供給する電源の種類及び状態を有する電子機器、及び/又は端末１１に近接した電子機器であり得る。
【０１１７】
さらに、ステップ１００６において、サーバ１３は、最適の充電条件を有する少なくとも一つの電子機器１５を選択し、最適の充電条件を有する選択した少なくとも一つの電子機器１５を含む充電器リストを生成することができる。
【０１１８】
ステップ１００７において、サーバ１３は、無線電力供給装置１５に関する情報を端末１１に伝送する。
【０１１９】
ステップ１００８において、端末１１は、無線電力供給装置１５に関する情報を確認して、充電器リストに包含される電子機器１５を確認した後、電子機器１５に無線充電のための電力を要求する。ステップ１００９において、電子機器１５は、無線充電のための電力を端末１１に伝送する。この過程で、端末１１と電子機器１５は、無線充電を遂行する方法(例えば、電磁誘導方法、共振方法、及びＲＦ/電波放射方式方法のうちいずれか一つの方法)を決定し、無線充電に使用される周波数を決定する。
【０１２０】
図１１は、本発明の第３の実施形態による端末の無線充電遂行方法における電子機器と無線充電を遂行するプロセスを示すフローチャートであって、図１０の端末１１により遂行される詳細手順を含む。
【０１２１】
本発明の第３の実施形態による端末の無線充電遂行方法は、第１の実施形態による無線充電遂行方法と同様に遂行される。しかしながら、電子機器と無線充電の遂行方法は、本発明の第１の実施形態と異なる。それによって、本発明の第３の実施形態による端末の無線充電遂行方法の全体手順は、図４及び第１の実施形態の説明を参照し、以下に本発明の第３の実施形態による無線充電遂行方法の電子機器と無線充電を遂行するプロセスについて、次のように詳細に説明する。
【０１２２】
無線電力供給装置に関する情報を受信すると、端末は、ステップ１１０１において、無線電力供給装置に関する情報に包含される充電器リストを確認する。ステップ１１０２において、端末は、充電器リストに包含される選択した電子機器を確認し、無線電力供給装置として選択した電子機器に無線充電のための電力を要求する。ステップ１１０３において、端末は、選択した電子機器から無線で受信した電力を用いて端末のバッテリーを充電する。
【０１２３】
図１２は、本発明の第３の実施形態によるサーバの無線充電の遂行方法で無線電力供給装置に関する情報を確認するプロセスを示すフローチャートであって、図１０のサーバ１３により遂行される詳細ｎ手順を含む順序を示す。
【０１２４】
本発明の第３の実施形態によるサーバの無線充電遂行方法は、第１の実施形態による無線充電遂行方法と同様である。しかしながら、無線電力供給装置に関する情報を含むプロセスは、本発明の第１の実施形態と異なる。それによって、本発明の第３の実施形態によるサーバの無線充電遂行方法のすべての手順は、図５及び第１の実施形態の説明を参照して、本発明の第２の実施形態によるサーバの無線充電遂行方法における無線電力供給装置に関する情報を確認するプロセスについて、以下のように詳細に説明する。
【０１２５】
無線電力供給装置に関する情報の確認のために、サーバは、ステップ１２０１において、無線電力供給装置として電子機器を検索する。例えば、サーバは、その内部のＤＢを確認し、端末が位置した領域に存在する電子機器を検索して、検索した電子機器を抽出できる。または、サーバは、端末が位置した領域に存在する電子機器に無線充電のための信号を伝送(例えば、ブロードキャスティング)し、この信号に応答する電子機器を検索することができる。
【０１２６】
ステップ１２０２において、サーバは、検索した電子機器に状態情報を要求する。この要求に対応して、ステップ１２０３において、サーバは、無線電力供給装置として電子機器から状態情報を受信する。
【０１２７】
ステップ１２０４において、サーバは、状態情報に基づいて無線電力供給装置として少なくとも一つの電子機器を選択する。例えば、サーバは、状態情報が電力提供の許可を示す電子機器、安定に電力を供給する電源の種類及び状態を有する電子機器、及び/又は端末の近くの電子機器を選択できる。
【０１２８】
なお、ステップ１２０４において、サーバは、最適の充電条件を有する少なくとも一つの電子機器を選択し、この最適の充電条件を有する少なくとも一つの選択した電子機器を含む充電器リストを生成することができる。
【０１２９】
サーバは、ステップ１２０５において選択された電子機器を含む充電器リストを生成し、ステップ１２０６において充電器リストを含む無線電力供給装置に関する情報を生成する。
【０１３０】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【０１３１】
１１  端末
１３  サーバ
１５  電子機器
２１１、２３１、２５１  無線充電処理部
２１２  処理部
２１３  無線電力受信部
２１５  バッテリー
２３２  端末/電子機器管理部
２３３  データベース
２３４  課金処理部
２５２  状態情報確認部
２５３  制御部
２５４  電力変換部
２５５  電源部
【図１】
2013523071.tif 000003
【図２】
2013523071.tif 000004
【図３】
2013523071.tif 000005
【図４】
2013523071.tif 000006
【図５】
2013523071.tif 000007
【図６】
2013523071.tif 000008
【図７】
2013523071.tif 000009
【図８】
2013523071.tif 000010
【図９】
2013523071.tif 000011
【図１０】
2013523071.tif 000012
【図１１】
2013523071.tif 000013
【図１２】
2013523071.tif 000014
【国際調査報告】
2013523071.tif 000015
2013523071.tif 000016